(57)【要約】      （修正有）【課題】ウイルス、細菌、花粉、粉塵の吸い込みが抑制され、保菌者が咳と共にウイルスや細菌を飛散させることを抑制することができるマスクを提供する。【解決手段】マスク本体１上縁部が内側に折り返されてマスク本体１上端部が２枚重ねであり、その２枚重ねの内側にある生地１ａの下端側縁部１ｂの左右いずれか一方が２枚重ねの内側にある生地１ａの下端側縁部１ｂ内面にねじられない状態で定着され、もう一方が２枚重ねの内側にある生地１ａの下端側縁部１ｂ内面にねじられた状態で定着され、２枚重ねの内側にある生地１ａの中央部分内側にねじれ２が形成されている。マスクＭの着用時、前記ねじれ２部分が着用者の鼻柱付近をすっぽりと覆うのみならず、マスク本体１上端部の２枚重ね部分の奥が袋状の室になっていて、マスク着用時においてマスク本体の少なくとも上半分が半ドーム状に膨らむ。【選択図】図４
0003232844.tif 000002
【実用新案登録請求の範囲】
【請求項１】
マスク本体上縁部が内側に折り返されてマスク本体上端部が少なくとも２枚重ねとなっており、その２枚重ねの下端側縁部の左右いずれか一方が２枚重ねの下端側縁部の内面に定着され、もう一方が２枚重ねの下端側縁部の内面にねじられた状態で定着され、前記２枚重ねの中央部分内側にねじれが形成されていることを特徴とするマスク。
【請求項２】
マスク本体上縁部が内側に折り返されてマスク本体上端部が少なくとも２枚重ねとなっており、その２枚重ねの下端側縁部の左右いずれか一方が２枚重ねの下端側縁部の内面に定着され、もう一方が２枚重ねの下端側縁部の内面にねじられた状態で定着され、前記２枚重ねの中央部分内側にねじれが形成されており、このマスク着用時において、前記ねじれ部分をマスク本体上端部から上側に露出するごとく位置させて用いることを特徴とするマスク。
【請求項３】
マスク本体上端部の２枚重ねの下端側縁部における左右両側端縁部の定着部分より内側のところであって、マスク着用者の両頬の頬骨付近に対面・当接することができる定着部を左右２つ形成したことを特徴とする請求項１または２記載のマスク。
【請求項４】
マスク本体下縁部が内側に折り返されてマスク本体下端部が少なくとも２枚重ねとなっており、その２枚重ねの上端側縁部の左右いずれか一方が２枚重ねの上端側縁部の内面に定着され、もう一方が２枚重ねの上端側縁部の内面にねじられた状態で定着され、前記２枚重ねの中央部分内側にねじれが形成されていることを特徴とするマスク。
【請求項５】
マスク本体下縁部が内側に折り返されてマスク本体下端部が少なくとも２枚重ねとなっており、その２枚重ねの上端側縁部の左右いずれか一方が２枚重ねの上端側縁部の内面に定着され、もう一方が２枚重ねの上端側縁部の内面にねじられた状態で定着され、前記２枚重ねの中央部分内側にねじれが形成されており、このマスク着用時において、前記ねじれ部分をマスク本体下端部から下側に露出するごとく位置させて用いることを特徴とするマスク。
【請求項６】
マスク本体下端部の２枚重ねの上端側縁部における左右両側端縁部の定着部分より内側のところであって、マスク着用者の顎両側の顎骨付近に対面・当接することができる定着部を左右２つ形成したことを特徴とする請求項４または５記載のマスク。
【考案の詳細な説明】
【技術分野】
【０００１】
本考案は、ウイルス、細菌、花粉、粉塵の吸い込みを抑制し、あるいは、保菌者が咳と共にウイルスや細菌を飛散させることを抑制する目的で使用するマスクに関する。
【背景技術】
【０００２】
このようなマスクとして、鼻掛け部の上縁と両側縁をマスク本体の上縁と両側縁に固定し、鼻掛け部の下縁は固定せず、折り返して鼻にかかるようにしたもの(例えば、特許文献１、特許文献２参照)や、マスク着用時において着用者の鼻の形にフィットさせるべく、マスク本体の上端部に帯状の弾性材料からなる部材を埋包したもの(例えば、特許文献３)がある。
【先行技術文献】
【特許文献】
【０００３】
【特許文献１】特開２００１−１６１８４３号公報
【０００４】
【特許文献２】実用新案登録第３１８８５５２号公報
【０００５】
【特許文献３】実用新案登録第３１０８８８０号公報
【考案の概要】
【考案が解決しようとする課題】
【０００６】
しかしながら、特許文献１、特許文献２に開示されたマスクでは、マスク着用時においてマスク本体と着用者の顔面との間に隙間が生じやすく、この隙間からウイルス、細菌、花粉、粉塵が吸い込まれ、あるいは、保菌者が咳と共にウイルスや細菌を飛散させる可能性が高い。
【０００７】
一方、特許文献３に開示されたマスクでは、帯状の弾性材料からなる部材を必要とするため、コストが高くなるのみならず、この部材をマスク内に埋包する作業を要するので、マスクの製造に手間がかかる。
【０００８】
上記、従来技術の欠点に鑑み、本考案者は、極めて簡単な手法により極めて簡単に、ウイルス、細菌、花粉、粉塵の吸い込みを抑制し、あるいは、保菌者が咳と共にウイルスや細菌を飛散させることを抑制することができるマスクを提案した（実用新案登録第３２２７５７９号公報）。
【０００９】
本考案は、この技術を踏襲しながらさらに効果的なマスクとするべく改良を加えたものである。
【課題を解決するための手段】
【００１０】
請求項１記載の本考案のマスクは、マスク本体上縁部が内側に折り返されてマスク本体上端部が少なくとも２枚重ねとなっており、その２枚重ねの下端側縁部の左右いずれか一方が２枚重ねの下端側縁部の内面に定着され、もう一方が２枚重ねの下端側縁部の内面にねじられた状態で定着され、前記２枚重ねの中央部分内側にねじれが形成されていることを特徴とするものである。
【００１１】
請求項２記載の本考案のマスクは、マスク本体上縁部が内側に折り返されてマスク本体上端部が少なくとも２枚重ねとなっており、その２枚重ねの下端側縁部の左右いずれか一方が２枚重ねの下端側縁部の内面に定着され、もう一方が２枚重ねの下端側縁部の内面にねじられた状態で定着され、前記２枚重ねの中央部分内側にねじれが形成されており、このマスク着用時において、前記ねじれ部分をマスク本体上端部から上側に露出するごとく位置させて用いることを特徴とするものである。
【００１２】
上記の場合において、マスク本体上端部の２枚重ねの下端側縁部における左右両側端縁部の定着部分より内側のところであって、マスク着用者の両頬の頬骨付近に対面・当接することができる定着部を左右２つ形成することが望ましい。
【００１３】
一方、請求項４記載の本考案のマスクは、マスク本体下縁部が内側に折り返されてマスク本体下端部が少なくとも２枚重ねとなっており、その２枚重ねの上端側縁部の左右いずれか一方が２枚重ねの上端側縁部の内面に定着され、もう一方が２枚重ねの上端側縁部の内面にねじられた状態で定着され、前記２枚重ねの中央部分内側にねじれが形成されていることを特徴とするものである。
【００１４】
請求項５記載の本考案のマスクは、マスク本体下縁部が内側に折り返されてマスク本体下端部が少なくとも２枚重ねとなっており、その２枚重ねの上端側縁部の左右いずれか一方が２枚重ねの上端側縁部の内面に定着され、もう一方が２枚重ねの上端側縁部の内面にねじられた状態で定着され、前記２枚重ねの中央部分内側にねじれが形成されており、このマスク着用時において、前記ねじれ部分をマスク本体下端部から下側に露出するごとく位置させて用いることを特徴とするものである。
【００１５】
上記の場合において、マスク本体下端部の２枚重ねの上端側縁部における左右両側端縁部の定着部分より内側のところであって、マスク着用者の顎両側の顎骨付近に対面・当接することができる定着部を左右２つ形成することが望ましい。
【考案の効果】
【００１６】
請求項１記載の考案によれば、マスク本体上端部の２枚重ねの中央部分内側にねじれが形成されているので、このマスクを着用した場合において、マスク本体が左右両側方に引っ張られたとき、前記ねじれ部分のやや上方における左右両側部分が引っ張られるので、その部分が着用者の鼻柱から頬にかけての部位に密着するとともに、前記ねじれ部分が着用者の鼻柱付近をすっぽりと覆うのみならず、マスク本体上端部の２枚重ね部分の奥が袋状の室になっていて、マスク着用時においてマスク本体の少なくとも上半分が半ドーム状に膨らむことになる。その結果、マスク着用時において、ウイルス、細菌、花粉、粉塵の吸い込みが抑制され、あるいは、保菌者が咳と共にウイルスや細菌を飛散させることを抑制することができるマスクを、極めて簡単な手法により極めて簡単かつ安価に提供することができるという効果を有する。
【００１７】
特に、請求項１記載の考案によれば、マスク本体上端部の２枚重ね部分の奥が袋状の室になっており、マスクの着用時においてマスク着用者の吐いた息がその室に溜まるので、マスク着用者の吐いた息がマスク上端部から外により一層漏れ出ないものとすることができるのみならず、マスクの着用時において眼鏡を掛けた場合でもより一層曇りにくいものとすることができる。
【００１８】
請求項２記載の考案のように、スク着用時において、マスク本体上縁部の中央部分内側に形成されているねじれ部分をマスク本体上端部から上側に露出するごとく位置させて用いた場合には、このねじれ部分が着用者の鼻柱付近とその近辺の上方部分とをより一層すっぽりと覆うので、当該部分からのウイルス、細菌、花粉、粉塵の吸い込みがより一層抑制され、あるいは、保菌者が咳と共にウイルスや細菌を飛散させることをより一層抑制することができる。
【００１９】
請求項３記載の考案によれば、マスク本体上端部の２枚重ねの下端側縁部における左右両側端縁部の定着部分より少し内側のところに位置する左右２つの定着部が着用者の両頬の頬骨付近に対面・当接し、その部位に密着するので、当該部分からのウイルス、細菌、花粉、粉塵の吸い込みがさらに抑制され、あるいは、保菌者が咳と共にウイルスや細菌を飛散させることをさらに抑制することができるマスクを、極めて簡単な手法により極めて簡単かつ安価に提供することができるという効果を有する。
【００２０】
請求項４記載の考案によれば、マスク本体下端部の２枚重ねの中央部分内側にねじれが形成されているので、このマスクを着用した場合において、マスク本体が左右両側方に引っ張られたとき、前記ねじれ部分のやや下方における左右両側部分が引っ張られるので、その部分が着用者の顎の両側にかけての部位に密着するとともに、前記ねじれ部分が着用者の下顎付近をすっぽりと覆うのみならず、マスク本体下端部の２枚重ね部分の奥が袋状の室になっていて、マスク着用時においてマスク本体の少なくとも下半分が半ドーム状に膨らむことになる。その結果、マスク着用時において、ウイルス、細菌、花粉、粉塵の吸い込みが抑制され、あるいは、保菌者が咳と共にウイルスや細菌を飛散させることを抑制することができるマスクを、極めて簡単な手法により極めて簡単かつ安価に提供することができるという効果を有する。
【００２１】
特に、請求項４記載の考案によれば、マスク本体下端部の２枚重ね部分の奥が袋状の室になっており、マスクの着用時においてマスク着用者の吐いた息がその室に溜まるので、マスク着用者の吐いた息がマスク下端部から外により一層漏れ出ないものとすることができる。
【００２２】
請求項５記載の考案のように、スク着用時において、マスク本体下縁部の中央部分内側に形成されているねじれ部分をマスク本体下縁部から下側に露出するごとく位置させて用いた場合には、このねじれ部分が着用者の下顎付近とその奥付近とをより一層すっぽりと覆うので、当該部分からのウイルス、細菌、花粉、粉塵の吸い込みがより一層抑制され、あるいは、保菌者が咳と共にウイルスや細菌を飛散させることをより一層抑制することができる。
【００２３】
請求項６記載の考案によれば、マスク本体下端部の２枚重ねの上端側縁部における左右両側端縁部の定着部分より少し内側のところに位置する左右２つの定着部が着用者の顎両側の顎骨付近に対面・当接し、その部位に密着するので、当該部分からのウイルス、細菌、花粉、粉塵の吸い込みがさらに抑制され、あるいは、保菌者が咳と共にウイルスや細菌を飛散させることをさらに抑制することができるマスクを、極めて簡単な手法により極めて簡単かつ安価に提供することができるという効果を有する。
【図面の簡単な説明】
【００２４】
【図１】本考案に係るマスクの実施形態のうちの最も基本的な一例を示すもので、着用者の顔面に対面・当接する側からマスクを見た概略図である。
【図２】図１に示すマスクの着用時において、マスクが左右両側方に引っ張られることによりマスク本体の一部が引っ張られることを示す概略図である。
【図３】マスク本体上端部と下端部の２枚重ねの中央部分内側に形成されるねじれの両端部分の折り返し状態を示す拡大概略端面図で、(a)は図１の(a)−(a)線に沿った場合を、(b)は図１の(b)−(b)線に沿った場合をそれぞれ示す。
【図４】図１に示すマスクを着用した場合の一例を、マスクの外面側から見た概略斜視図である。
【図５】マスク本体上端部の２枚重ねの中央部分内側に形成されるねじれ部分を、マスク本体上端部から上側に露出するごとく位置させて用いる場合を例示する概略斜視図である。
【考案を実施するための形態】
【００２５】
本考案の実施形態の一例を、図面に基づいて詳細に説明する。図１は、本考案に係るマスクの実施形態のうちの最も基本的な一例を示す概略図で、着用者Ｗの顔面ｗ５に対面・当接する側から見た状態を示す。なお、本明細書において、マスク本体１の内側、内面とは、着用者Ｗの顔面ｗ５に対面・当接する側をいい、マスク本体１の外側、外面とは、着用者Ｗの顔面ｗ５に対面・当接しない反対側をいうものとする。
【００２６】
本考案においては、マスク本体１上縁部が内側に折り返されてマスク本体１上端部が図３(a)、(b)に示すように少なくとも２枚重ねとなっており、その２枚重ねの内側にある生地１ａの下端側縁部１ｂの左右いずれか一方が２枚重ねの内側にある生地１ａの下端側縁部１ｂ内面にねじられない状態で定着され、もう一方が２枚重ねの内側にある生地１ａの下端側縁部１ｂ内面にねじられた状態で定着され、２枚重ねの内側にある生地１ａの中央部分内側にねじれ２が形成されている。なお、２枚重ねの内側にある生地１ａの中央部分内側にねじれ２が形成されている点が、本考案の要旨の１つと言うべきところである。
【００２７】
２枚重ねの内側にある生地１ａの中央部分内側にねじれ２が形成されているので、このマスクＭを着用した場合において、マスク本体１が図２の矢印で示すように左右両側方に引っ張られたとき、前記ねじれ２部分のやや上方における左右両側部分が引っ張られて同図の一点鎖線で示す部位１ｃがへこみ、マスクＭ着用時、図４に示すように、前記へこみ１ｃ部分が着用者Ｗの鼻柱ｗ１から頬ｗ２にかけての部位に密着するとともに、前記ねじれ２部分が着用者の鼻柱ｗ1付近をすっぽりと覆うのみならず、マスク本体１上端部の２枚重ね部分の奥が袋状の室１ｄになっていて、マスクＭ着用時においてマスク本体１の少なくとも上半分が半ドーム状に膨らむことになる。その結果、ウイルス、細菌、花粉、粉塵の吸い込みが抑制され、あるいは、保菌者が咳と共にウイルスや細菌を飛散させることを抑制することができる。
【００２８】
特に、マスク本体１上端部の２枚重ね部分の奥が袋状の室１ｄになっており、マスクＭの着用時においてマスクＭの着用者Ｗの吐いた息がその室１ｄに溜まるので、マスク着用者Ｗの吐いた息がマスクＭ上端部から外により一層漏れ出ないものとすることができるのみならず、マスクＭ着用時において眼鏡を掛けた場合でもより一層曇りにくいものとすることができる。
【００２９】
ここに例示する場合にあっては、図１における上側のねじれ２の両端部分において、ねじれ２の左端の折り返し点である点Ｐａでは、図３(a)の上側に示すように、２枚重ねの内側にある生地１ａの左側下端側縁部１ｂが一定幅外向き（上向き）に折り返され、２枚重ねとした状態で２枚重ねの内側にある生地１ａに定着されている。一方、図１における上側のねじれ２の右端の折り返し点である点Ｐｂでは、図３(b)の上側に示すように、２枚重ねの内側にある生地１ａの右側下端側縁部１ｂが一定幅内向き（上向き）に折り返され、２枚重ねとした状態で２枚重ねの内側にある生地１ａに定着されている。
そして、点Ｐａと点Ｐｂとの間において、前記ねじれ２が形成されている。
【００３０】
図１、図２に示すマスクＭにあっては、２枚重ねの内側にある生地１ａの下端側縁部１ｂの左側を２枚重ねの内側にある生地１ａの下端側縁部１ｂ内面にねじられない状態で定着するに当って、２枚重ねの内側にある生地１ａの左側下端側縁部１ｂを一定幅内向きに折り返し、２枚重ねとした状態で２枚重ねの内側にある生地１ａに定着した場合が例示されているが、２枚重ねの内側にある生地１ａの左側下端側縁部１ｂを表側の生地１ｅの内面に直接定着しても良い。
【００３１】
また、図１、図２においては、２枚重ねの内側にある生地１ａの下端側縁部１ｂの左側が２枚重ねの内側にある生地１ａの下端側縁部１ｂ内面にねじられない状態で定着され、もう一方、すなわち、２枚重ねの内側にある生地１ａの下端側縁部１ｂの右側が２枚重ねの内側にある生地１ａの下端側縁部１ｂ内面にねじられた状態で定着されている場合を例示したが、これとは逆の定着状態としても良い。
【００３２】
すなわち、図示は省略するが、２枚重ねの内側にある生地１ａの下端側縁部１ｂの右側が２枚重ねの内側にある生地１ａの下端側縁部１ｂ内面にねじられない状態で定着され、もう一方、すなわち、２枚重ねの内側にある生地１ａの下端側縁部１ｂの左側が２枚重ねの内側にある生地１ａの下端側縁部１ｂ内面にねじられた状態で定着されても良い。
この場合においても、先程説明した場合の右側と左側の向きが異なるだけで、上記と同様の効果を発揮することができる。
【００３３】
図１、図２に示すマスクＭにあっては、マスク本体１上縁部が内側に折り返されてマスク本体１上端部が少なくとも２枚重ねとなっており、その上縁部は幅全体にわたってミシン糸で定着されている。また、マスクＭの左右両側縁部もミシン糸で定着されている。
なお、マスク本体１が不織布で作製されている場合には、マスクＭの左右両側縁部を熱溶着という手段で定着することもできる。
【００３４】
ここに例示するマスクＭにあっては、図５に示すように、マスクＭ着用時において、マスク本体１上縁部の中央部分内側に形成されているねじれ２部分をマスク本体１上端部から上側に露出するごとく位置させて用いることもできる。
このようにした場合には、このねじれ２部分がマスクＭの着用者Ｗの鼻柱ｗ1付近とその近辺の上方部分とをより一層すっぽりと覆うので、当該部分からのウイルス、細菌、花粉、粉塵の吸い込みがより一層抑制され、あるいは、保菌者が咳と共にウイルスや細菌を飛散させることをより一層抑制することができる。
【００３５】
さらに、図１、図２に例示するマスクＭにおいては、マスク本体１の上縁部において、マスク本体１の左右両側端部より少し内側のところであって、図１、図２において図面符号３、３で示すように、内外２枚の生地が重なり合う部分をさらにマスク本体１に定着するための定着部が左右に２つ形成されている。
これら左右２つの定着部３、３は、ミシン糸でマスク本体１に逢着することによって形成されており、両定着部３、３の間隔としては、着用者Ｗが本マスクＭを着用した場合の着用者Ｗの両頬ｗ２、ｗ２の頬骨ｗ３、ｗ３付近に両定着部３、３が来るような間隔とすることが好ましい。
【００３６】
着用者Ｗが本マスクＭを着用した場合において、マスク本体１の左右両側端部より少し内側のところに位置する左右２つの定着部３、３が着用者Ｗの両頬ｗ２、ｗ２の頬骨ｗ３、ｗ３付近に対面・当接し、その部位に密着するので、当該部分からのウイルス、細菌、花粉、粉塵の吸い込みがより一層抑制され、あるいは、保菌者が咳と共にウイルスや細菌を飛散させることをより一層抑制することができる。
【００３７】
ここに例示するマスクＭにあっては、マスク本体１の上端部のみならず、その下端部においても上端部において説明した場合と同様の特別の工夫・改良が施されている。すなわち、図１、図２に示すマスクＭにあっては、マスク本体１下縁部が内側に折り返されてマスク本体１下端部が図１、図２に示すように少なくとも２枚重ねとなっており、その２枚重ねの内側にある生地１ｆの上端側縁部１ｇの左右いずれか一方が２枚重ねの内側にある生地１ｆの上端側縁部１ｇ内面にねじられない状態で定着され、もう一方が２枚重ねの内側にある生地１ｆの上端側縁部１ｇ内面にねじられた状態で定着され、２枚重ねの内側にある生地１ｆの中央部分内側にねじれ４が形成されている。なお、２枚重ねの内側にある生地１ｆの中央部分内側にねじれ４が形成されている点も、本考案の要旨の１つと言うべきところである。
【００３８】
２枚重ねの内側にある生地１ｆの中央部分内側にねじれ４が形成されているので、このマスクＭを着用した場合において、マスク本体１が図２の矢印で示すように左右両側に引っ張られたとき、前記ねじれ４部分のやや下方における左右両側部分が引っ張られて同図の一点鎖線で示す部位１ｈがへこみ、マスクＭ着用時、図４に示すように、前記へこみ１ｈ部分が着用者Ｗの顎ｗ６の左右両側のくぼみに密着するとともに、前記ねじれ４部分が着用者Ｗの下顎ｗ4付近をすっぽりと覆うのみならず、マスク本体１下端部の２枚重ね部分の奥が袋状の室１ｉになっていて、マスクＭ着用時においてマスク本体１の少なくとも下半分が半ドーム状に膨らむことになる。その結果、ウイルス、細菌、花粉、粉塵の吸い込みが抑制され、あるいは、保菌者が咳と共にウイルスや細菌を飛散させることを抑制することができる。
【００３９】
特に、マスク本体１下端部の２枚重ね部分の奥が袋状の室１ｉになっており、マスクＭの着用時においてマスクＭの着用者Ｗの吐いた息がその室１ｉに溜まるので、マスク着用者Ｗの吐いた息がマスクＭ下端部から外により一層漏れ出ないものとすることができる。
【００４０】
ここに例示する場合にあっては、図１における下側のねじれ４の両端部分において、ねじれ４の左端の折り返し点である点Ｐａ’では、図３(a)の下側に示すように、２枚重ねの内側にある生地１ｆの左側上端側縁部１ｇが一定幅内向き（下向き）に折り返され、２枚重ねとした状態で２枚重ねの内側にある生地１ｆに定着されている。一方、図１における下側のねじれ２の右端の折り返し点である点Ｐｂ’では、図３(b)の下側に示すように、２枚重ねの内側にある生地１ｆの右側上端側縁部１ｇが一定幅外向き（下向き）に折り返され、２枚重ねとした状態で２枚重ねの内側にある生地１ｆに定着されている。
そして、点Ｐａ’と点Ｐｂ’との間において、前記ねじれ４が形成されている。
【００４１】
なお、図３(a)、(b)においては、マスク本体１上端部における２枚重ねの内側にある生地１ａの上下幅Ｌ１とマスク本体１下端部における２枚重ねの内側にある生地１ｆの上下幅Ｌ２とを同じ幅とした場合が例示されている。そして、本来ならば、上端部における２枚重ねの内側にある生地１ａと表側の生地１ｅとは、また、下端部における２枚重ねの内側にある生地１ｆと表側の生地１ｅとは、いずれも重なり合っているのが普通であるが、両者の間に形成される袋状の室１ｄ、１ｉをより明瞭に理解し得るようにするために、上端部における２枚重ねの内側にある生地１ａが表側の生地１ｅに対して角度αの袋状の室１ｄを有するものと仮定し、また、下端部における２枚重ねの内側にある生地１ｆが表側の生地１ｅに対して角度βの袋状の室１ｉを有するものと仮定し、さらに、角度αと角度βとは同じ角度をなすものとして例示した。
【００４２】
ここでは、図示を省略するが、マスクＭ着用時において、マスク本体１下縁部の中央部分内側に形成されているねじれ４部分をマスク本体１下端部から下側に露出するごとく位置させて用いることもできる。
このようにした場合には、このねじれ４部分がマスクＭの着用者Ｗの下顎ｗ４付近とその奥付近とをより一層すっぽりと覆うので、当該部分からのウイルス、細菌、花粉、粉塵の吸い込みがより一層抑制され、あるいは、保菌者が咳と共にウイルスや細菌を飛散させることをより一層抑制することができる。
【００４３】
さらに、図１、図２に示すマスクＭにおいては、マスク本体１の下縁部において、上縁部の場合の定着部３、３と全く同様に、マスク本体１の左右両側端部より少し内側のところであって、図１、図２において図面符号５、５で示すように、内外２枚の生地が重なり合う部分をさらにマスク本体１に定着するための定着部が左右に２つ形成されている。
これら左右２つの定着部５、５は、ミシン糸でマスク本体１に逢着することによって形成されており、両定着部５、５の間隔としては、着用者Ｗが本マスクＭを着用した場合の着用者Ｗの顎ｗ６両側の顎骨ｗ７、ｗ７付近に両定着部５、５が来るような間隔とすることが好ましい。
【００４４】
着用者Ｗが本マスクＭを着用した場合において、マスク本体１下縁部の左右両側端部より少し内側のところに位置する左右２つの定着部５，５が着用者Ｗの顎ｗ６両側の顎骨ｗ７、ｗ７付近に対面・当接し、その部位に密着するので、当該部分からのウイルス、細菌、花粉、粉塵の吸い込みがさらに抑制され、あるいは、保菌者が咳と共にウイルスや細菌を飛散させることをさらに抑制することができる。
【００４５】
ここでは、マスク本体１の上縁部と下縁部がいずれも内側に折り返されてマスク本体１の上端部、下端部がいずれも少なくとも２枚重ねとなっており、その２枚重ねの内側にある生地１ａの下端側縁部１ｂの左右いずれか一方が２枚重ねの内側にある生地１ａの下端側縁部１ｂ内面にねじられない状態で定着され、もう一方が２枚重ねの内側にある生地１ａの下端側縁部１ｂ内面にねじられた状態で定着され、２枚重ねの内側にある生地１ａの中央部分内側にねじれ２が形成され、また、２枚重ねの内側にある生地１ｆの上端側縁部１ｇの左右いずれか一方が２枚重ねの内側にある生地１ｆの上端側縁部１ｇ内面にねじられない状態で定着され、もう一方が２枚重ねの内側にある生地１ｆの上端側縁部１ｇ内面にねじられた状態で定着され、２枚重ねの内側にある生地１ｆの中央部分内側にねじれ４が形成されている場合が例示されており、このマスクＭを着用した場合には、上述したように、マスク本体１の上半分と下半分が上下対称的な半ドーム状に膨らみ、結果的に、マスク本体１の中央部分が全体的にドーム状に膨らむことになるので、上述した効果が一層増大せしめられることになる。
【００４６】
ここに例示した場合において、マスク本体１の上縁部とマスク本体１の下縁部における左右両側端部の定着状態は、マスク本体１の対角線状において対称的なものとしてあるが、上下のみ対称としても良い。この場合においても、上記と同様の効果を発揮することができる。
【００４７】
なお、ここに示すマスクＭには、上下３段にわたってダーツ（プリーツ）６が形成されている。したがって、マスクＭの着用時において、マスク本体１がより立体的なものとなり、着用者Ｗの少なくとも鼻柱ｗ１から両頬ｗ２、ｗ２、頬骨ｗ３に至る部位をすっぽりと被覆することができ、さらに、着用者Ｗの下顎ｗ４をすっぽりと被覆することができるので、上記以上のより一層の効果を発揮することができる。
【００４８】
マスク本体１は不織布、布、布帛あるいはガーゼからなるものとすることができるが、通気性が高い素材を用いれば、夏場の使用に特に有利である。また、本考案は、マスク本体１が炭素繊維、キルトなど他の素材からなる場合にも適用することができる。
なお、不織布でマスクが作製されている場合には、前記ねじれ２、４が形成されている部分の形を整え、あるいは補強するために、その部分に不織布からなる別の生地を重ね合せておくこともできる。
【００４９】
その他図面において、符号７はマスク本体１の左右両端部に設けた耳かけ紐である。ゴム紐や所定の幅を有する紐などを用いることができる。
【符号の説明】
【００５０】
Ｍ…マスク、１…マスク本体、１ａ…２枚重ねの内側にある生地、１ｂ…下端側縁部、１ｃ…上側のへこみ、１ｄ…上側の袋状の室、１ｅ…表側の生地、１ｆ…２枚重ねの内側にある生地、１ｇ…上端側縁部、１ｈ…下側のへこみ、１ｉ…下側の袋状の室、２…上側のねじれ、３…上側の定着部、４…下側のねじれ、５…下側の定着部、６…ダーツ（プリーツ）、７…耳かけ紐、Ｗ…着用者、ｗ１…鼻柱、ｗ２…頬、ｗ３…頬骨、ｗ４…下顎、ｗ５…顔面、ｗ６…顎、ｗ７…顎骨。
【図１】
0003232844.tif 000003
【図２】
0003232844.tif 000004
【図３】
0003232844.tif 000005
【図４】
0003232844.tif 000006
【図５】
0003232844.tif 000007
【手続補正書】
【提出日】令和3年5月24日(2021.5.24)
【手続補正１】
【補正対象書類名】明細書
【補正対象項目名】００４０
【補正方法】変更
【補正の内容】
【００４０】
ここに例示する場合にあっては、図１における下側のねじれ４の両端部分において、ねじれ４の左端の折り返し点である点Ｐａ’では、図３(a)の下側に示すように、２枚重ねの内側にある生地１ｆの左側上端側縁部１ｇが一定幅内向き（下向き）に折り返され、２枚重ねとした状態で２枚重ねの内側にある生地１ｆに定着されている。一方、図１における下側のねじれ４の右端の折り返し点である点Ｐｂ’では、図３(b)の下側に示すように、２枚重ねの内側にある生地１ｆの右側上端側縁部１ｇが一定幅外向き（下向き）に折り返され、２枚重ねとした状態で２枚重ねの内側にある生地１ｆに定着されている。
そして、点Ｐａ’と点Ｐｂ’との間において、前記ねじれ４が形成されている。